(57)【要約】【課題】従来とは異なる手法によって、ヘッドマウントディスプレイに供給される電源の管理を適切に行い得る、具体的には、ヘッドマウントディスプレイの電力消費を低減することができる、新たなヘッドマウントディスプレイを提供することを目的とする。【解決手段】ヘッドマウントディスプレイのＣＰＵは、コンテンツデータに対する再生の指示を利用者が行った場合（Ｓ１００：Ｙｅｓ）、コンテンツデータの再生を開始し（Ｓ１０２）、再生によって得られたコンテンツ画像が画像提示装置から利用者の眼に提示される場合において、再生されているコンテンツの区切りを検出し（Ｓ１０６）、区切りが検出された場合（Ｓ１０６：Ｙｅｓ）、コンテンツデータの再生処理を停止するとともに、画像提示手段への電源を遮断する（Ｓ１０８）こととしたものである。【選択図】図５
2010139578.tif 000002
【特許請求の範囲】
【請求項１】
利用者の眼に視認可能に画像を提示し、前記利用者に前記画像を認識させるヘッドマウントディスプレイであって、
前記利用者の眼に、前記画像を提示する画像提示手段と、
コンテンツデータを再生し、再生によって得られた画像が前記画像提示手段から提示されるよう制御する制御手段と、
前記画像提示手段への電源の供給及び遮断を管理する電源管理手段と、
前記制御手段により再生されている前記コンテンツデータによって示されるコンテンツの区切りを検出する検出手段と、を備え、
前記制御手段は、前記検出手段により前記区切りが検出された場合、前記コンテンツデータの再生を停止し、
前記電源管理手段は、前記検出手段により前記区切りが検出された場合、前記画像提示手段への電源を遮断することを特徴とするヘッドマウントディスプレイ。
【請求項２】
前記検出手段により前記区切りが検出された場合、前記区切り検出後の時間の経過を計測可能な計時手段を備え、
前記コンテンツデータは、前記画像提示手段への電源が遮断された場合において電源の供給を再開する時間に関する時間情報を含み、
前記電源管理手段は、前記計時手段により前記時間情報によって示される時間の経過が計測された場合、前記画像提示手段への電源の供給を再開し、
前記制御手段は、前記電源管理手段により前記画像提示手段への電源の供給が再開された場合、前記コンテンツデータを、停止した位置から再生することを特徴とする請求項１に記載のヘッドマウントディスプレイ。
【請求項３】
前記検出手段により前記区切りが検出された場合、前記区切り検出後の時間の経過を計測可能な計時手段と、
前記利用者を識別可能な識別子を取得する識別子取得手段と、を備え、
前記電源管理手段は、前記利用者各々の識別子と、前記画像提示手段への電源が遮断された場合において電源の供給を再開する時間に関する時間情報と、を関連づけて登録したテーブルから、前記識別子取得手段により取得された識別子に関連付けられた時間情報を取得可能で、前記計時手段により前記時間情報によって示される時間の経過が計測された場合、前記画像提示手段への電源の供給を再開し、
前記制御手段は、前記電源管理手段により前記画像提示手段への電源の供給が再開された場合、前記コンテンツデータを、停止した位置から再生することを特徴とする請求項１に記載のヘッドマウントディスプレイ。
【請求項４】
前記検出手段により前記区切りが検出された場合において、前記ヘッドマウントディスプレイが備える入力インターフェースに入力される所定の指令を取得する指令取得手段を備え、
前記電源管理手段は、前記指令取得手段により前記所定の指令が取得された場合、前記画像提示手段への電源の供給を再開し、
前記制御手段は、前記電源管理手段により前記画像提示手段への電源の供給が再開された場合、前記コンテンツデータを、停止した位置から再生することを特徴とする請求項１に記載のヘッドマウントディスプレイ。
【請求項５】
前記検出手段により前記区切りが検出された場合、前記区切り検出後の時間の経過を計測可能な計時手段と、
前記検出手段により前記区切りが検出された場合において、前記ヘッドマウントディスプレイが備える入力インターフェースに入力される所定の指令を取得する指令取得手段と、
前記利用者を識別可能な識別子を取得する識別子取得手段と、
前記利用者各々の識別子と、前記画像提示手段への電源が遮断された場合において電源の供給を再開する時間に関する時間情報と、を関連づけて登録したテーブルと、
前記識別子取得手段により前記識別子が取得され、前記指令取得手段により前記所定の指令が取得された場合において、前記テーブルに、前記指令取得手段が前記所定の指令を取得した時点で前記計時手段により計測されている経過した時間を、前記時間情報として、前記識別子取得手段により取得された前記識別子に関連付けて登録する登録手段と、を備え、
前記電源管理手段は、前記テーブルから前記識別子取得手段により取得された識別子に関連付けて登録された時間情報を取得可能で、前記計時手段により前記時間情報によって示される時間の経過が計測された場合、及び、前記指令取得手段により前記所定の指令が取得された場合、前記画像提示手段への電源の供給を再開し、
前記制御手段は、前記電源管理手段により前記画像提示手段への電源の供給が再開された場合、前記コンテンツデータを、停止した位置から再生することを特徴とする請求項１に記載のヘッドマウントディスプレイ。
【請求項６】
前記コンテンツデータは、前記コンテンツの区切りを示す区切情報を含み、
前記検出手段は、前記制御手段により再生されている前記コンテンツデータから前記区切情報を検出可能で、前記区切情報を検出することにより、前記区切りを検出することを特徴とする請求項１乃至請求項５のいずれか１項に記載のヘッドマウントディスプレイ。
【請求項７】
前記コンテンツデータは、特定の画像を示す特定データを含み、
前記検出手段は、前記制御手段による前記特定データの再生を検出可能で、前記特定データの再生を検出することにより、前記区切りを検出することを特徴とする請求項１乃至請求項６のいずれか１項に記載のヘッドマウントディスプレイ。
【請求項８】
前記検出手段は、前記コンテンツの区切りを示す区切情報を含む区切データから、前記区切情報を読み込み、読み込まれた前記区切情報にしたがい、前記区切りを検出することを特徴とする請求項１乃至請求項５のいずれか１項に記載のヘッドマウントディスプレイ。
【請求項９】
前記ヘッドマウントディスプレイは、外光を透過し、外界像を視認可能なシースルー型であることを特徴とする請求項１乃至請求項８のいずれか１項に記載のヘッドマウントディスプレイ。
【発明の詳細な説明】
【技術分野】
【０００１】
本発明は、利用者の眼にコンテンツデータにより示される画像を視認可能に提示し、この利用者に画像を認識させるヘッドマウントディスプレイに関するものである。
【背景技術】
【０００２】
利用者の眼にコンテンツデータにより示される画像を視認可能に提示し、この利用者に画像を認識させるヘッドマウントディスプレイに関する技術が提案されている。例えば、ヘッドマウントディスプレイに供給される電源を管理、具体的には、電源の切り忘れを防止可能な技術として、利用者が、ヘッドマウントディスプレイを外した後、所定時間経過後に、ヘッドマウントディスプレイと、ヘッドマウントディスプレイに対して映像を提供する映像再生装置との電源を自動的にオフとする技術が提案されている（例えば、特許文献１参照）。
【特許文献１】特開平１１−６４７８０号公報
【発明の開示】
【発明が解決しようとする課題】
【０００３】
ところで、ヘッドマウントディスプレイを、例えば、製品の生産現場において使用することが想定される。具体的には、ヘッドマウントディスプレイを用いて作業指示を、これを装着する利用者に提示し、この利用者が、製品を組み立てるような場合が想定される。このような用途の場合、画像の提示が停止されたとしても、作業者は、ヘッドマウントディスプレイを装着したまま作業を行い、その後、次の作業を開始するにあたり、再度、次の作業のための作業指図に関する画像の提示を開始すると考えられる。画像の提示が停止されている間は画像の送信のみが停止されており黒色の画像が提示されているので、ヘッドマウントディスプレイ各部に電源が供給されたままとなっている。
【０００４】
本発明は、従来とは異なる手法によって、ヘッドマウントディスプレイに供給される電源の管理を適切に行い得る、具体的には、ヘッドマウントディスプレイの電力消費を低減することができる、新たなヘッドマウントディスプレイを提供することを目的とする。
【課題を解決するための手段】
【０００５】
上記従来の課題に鑑みなされた本発明のヘッドマウントディスプレイは、コンテンツデータを再生し、再生によって得られた画像が画像提示手段から提示される場合に、再生されているコンテンツの区切りを検出し、区切りが検出された場合、コンテンツデータの再生を停止するとともに、画像提示手段への電源を遮断することとしたものである。
【０００６】
本発明を反映した第１の課題解決手段は、利用者の眼に視認可能に画像を提示し、前記利用者に前記画像を認識させるヘッドマウントディスプレイであって、前記利用者の眼に、前記画像を提示する画像提示手段と、コンテンツデータを再生し、再生によって得られた画像が前記画像提示手段から提示されるよう制御する制御手段と、前記画像提示手段への電源の供給及び遮断を管理する電源管理手段と、前記制御手段により再生されている前記コンテンツデータによって示されるコンテンツの区切りを検出する検出手段と、を備え、前記制御手段は、前記検出手段により前記区切りが検出された場合、前記コンテンツデータの再生を停止し、前記電源管理手段は、前記検出手段により前記区切りが検出された場合、前記画像提示手段への電源を遮断することを特徴とするヘッドマウントディスプレイである。
【０００７】
これによれば、コンテンツの区切りでコンテンツデータの再生を停止し、コンテンツデータの再生によって得られた画像を提示する画像提示装置への電源を遮断することができる。すなわち、コンテンツデータの停止と、画像提示装置への電源の遮断とを連動させることができる。なお、第１の課題解決手段において、ヘッドマウントディスプレイは、必ずしも１つの装置である必要はなく、例えば、２つの装置による構成であってもよい。例えば、制御手段等を別の装置が備える構成とし、ヘッドマウントディスプレイ本体と所定の信号ケーブルで接続した構成とすることもできる。
【０００８】
第２の課題解決手段は、第１の課題解決手段のヘッドマウントディスプレイであって、前記検出手段により前記区切りが検出された場合、前記区切り検出後の時間の経過を計測可能な計時手段を備え、前記コンテンツデータは、前記画像提示手段への電源が遮断された場合において電源の供給を再開する時間に関する時間情報を含み、前記電源管理手段は、前記計時手段により前記時間情報によって示される時間の経過が計測された場合、前記画像提示手段への電源の供給を再開し、前記制御手段は、前記電源管理手段により前記画像提示手段への電源の供給が再開された場合、前記コンテンツデータを、停止した位置から再生することを特徴とする。
【０００９】
これによれば、時間情報によって示される時間が経過した場合、画像提示装置への電源供給を再開し、コンテンツデータを、停止した位置から再生することができる。すなわち、画像提示装置への電源の供給及び遮断と、コンテンツデータの再生とを連動させることができる。
【００１０】
第３の課題解決手段は、第１の課題解決手段のヘッドマウントディスプレイであって、前記検出手段により前記区切りが検出された場合、前記区切り検出後の時間の経過を計測可能な計時手段と、前記利用者を識別可能な識別子を取得する識別子取得手段と、を備え、前記電源管理手段は、前記利用者各々の識別子と、前記画像提示手段への電源が遮断された場合において電源の供給を再開する時間に関する時間情報と、を関連づけて登録したテーブルから、前記識別子取得手段により取得された識別子に関連付けられた時間情報を取得可能で、前記計時手段により前記時間情報によって示される時間の経過が計測された場合、前記画像提示手段への電源の供給を再開し、前記制御手段は、前記電源管理手段により前記画像提示手段への電源の供給が再開された場合、前記コンテンツデータを、停止した位置から再生することを特徴とする。
【００１１】
これによれば、各利用者に関連付けた時間が経過した場合、画像提示装置への電源供給を再開し、コンテンツデータを、停止した位置から再生することができる。すなわち、画像提示装置への電源の供給及び遮断と、コンテンツデータの再生とを連動させることができる。例えば、ヘッドマウントディスプレイが上述したような製品の生産現場で利用された場合、各利用者の作業時間に応じてコンテンツデータの再生を始めることができ、作業効率を向上
第４の課題解決手段は、第１の課題解決手段のヘッドマウントディスプレイであって、前記検出手段により前記区切りが検出された場合において、前記ヘッドマウントディスプレイが備える入力インターフェースに入力される所定の指令を取得する指令取得手段を備え、前記電源管理手段は、前記指令取得手段により前記所定の指令が取得された場合、前記画像提示手段への電源の供給を再開し、前記制御手段は、前記電源管理手段により前記画像提示手段への電源の供給が再開された場合、前記コンテンツデータを、停止した位置から再生することを特徴とする。
【００１２】
これによれば、所定の指令が入力され、これを取得した場合、画像提示装置への電源供給を再開し、コンテンツデータを、停止した位置から再生することができる。すなわち、画像提示装置への電源の供給及び遮断と、コンテンツデータの再生とを連動させることができる。例えば、ヘッドマウントディスプレイが上述したような製品の生産現場で利用された場合、各利用者の作業時間がコンテンツデータの再生を始める時間より短くても指令の入力により直ちに再生を行うことができ、作業効率を向上させることができる。
【００１３】
第５の課題解決手段は、第１の課題解決手段のヘッドマウントディスプレイであって、前記検出手段により前記区切りが検出された場合、前記区切り検出後の時間の経過を計測可能な計時手段と、前記検出手段により前記区切りが検出された場合において、前記ヘッドマウントディスプレイが備える入力インターフェースに入力される所定の指令を取得する指令取得手段と、前記利用者を識別可能な識別子を取得する識別子取得手段と、前記利用者各々の識別子と、前記画像提示手段への電源が遮断された場合において電源の供給を再開する時間に関する時間情報と、を関連づけて登録したテーブルと、前記識別子取得手段により前記識別子が取得され、前記指令取得手段により前記所定の指令が取得された場合において、前記テーブルに、前記指令取得手段が前記所定の指令を取得した時点で前記計時手段により計測されている経過した時間を、前記時間情報として、前記識別子取得手段により取得された前記識別子に関連付けて登録する登録手段と、を備え、前記電源管理手段は、前記テーブルから前記識別子取得手段により取得された識別子に関連付けて登録された時間情報を取得可能で、前記計時手段により前記時間情報によって示される時間の経過が計測された場合、及び、前記指令取得手段により前記所定の指令が取得された場合、前記画像提示手段への電源の供給を再開し、前記制御手段は、前記電源管理手段により前記画像提示手段への電源の供給が再開された場合、前記コンテンツデータを、停止した位置から再生することを特徴とする。
【００１４】
これによれば、各利用者に関連付けた時間が経過した場合、及び、各利用者に関連付けた時間の経過を経ず、所定の指令が入力され、これを取得した場合、画像提示装置への電源供給を再開し、コンテンツデータを、停止した位置から再生することができる。すなわち、画像提示装置への電源の供給及び遮断と、コンテンツデータの再生とを連動させることができる。そして、所定の指令に基づき電源供給が再開された場合において、所定の指令が入力された時点で計測されていた経過時間が、識別子に関連付けて時間情報として新たに登録テーブルに登録されるため、各利用者に関連付けた電源供給のタイミングを適切に管理することができる。
【００１５】
第６の課題解決手段は、第１乃至第５の課題解決手段のいずれか１つのヘッドマウントディスプレイであって、前記コンテンツデータは、前記コンテンツの区切りを示す区切情報を含み、前記検出手段は、前記制御手段により再生されている前記コンテンツデータから前記区切情報を検出可能で、前記区切情報を検出することにより、前記区切りを検出することを特徴とする。これによれば、適切な処理を実行する上で、利用されるデータの数を少なくすることができる。
【００１６】
第７の課題解決手段は、第１乃至第６の課題解決手段のいずれか１つのヘッドマウントディスプレイであって、前記コンテンツデータは、特定の画像を示す特定データを含み、前記検出手段は、前記制御手段による前記特定データの再生を検出可能で、前記特定データの再生を検出することにより、前記区切りを検出することを特徴とする。これによれば、適切な処理を実行する上で、利用されるデータの数を少なくすることができる。
【００１７】
第８の課題解決手段は、第１乃至第５の課題解決手段のいずれか１つのヘッドマウントディスプレイであって、前記検出手段は、前記コンテンツの区切りを示す区切情報を含む区切データから、前記区切情報を読み込み、読み込まれた前記区切情報にしたがい、前記区切りを検出することを特徴とする。これによれば、区切情報を、コンテンツデータとは異なる区切データによって管理することができる。例えば、コンテンツデータが区切情報を含まない既存のデータである場合、特に有効である。
【００１８】
第９の課題解決手段は、第１乃至第８の課題解決手段のいずれか１つのヘッドマウントディスプレイであって、前記ヘッドマウントディスプレイは、外光を透過し、外界像を視認可能なシースルー型であることを特徴とする。これによれば、ヘッドマウントディスプレイを装着した状態で、外界像を視認し、認識することができる。例えば、ヘッドマウントディスプレイが上述したような製品の生産現場で利用された場合、装着したまま、作業指示等のコンテンツの視認と外界像を見ながらの作業を交互に繰り返し行うことができる。
【発明の効果】
【００１９】
本発明によれば、従来とは異なる手法によって、ヘッドマウントディスプレイに供給される電源の管理を適切に行い得る、新たなヘッドマウントディスプレイを得ることができる。具体的には、電力消費量を低減することができるヘッドマウントディスプレイを得ることができる。例えば、間欠的あるいは断続的にコンテンツが視認されバッテリー駆動によるヘッドマウントディスプレイの場合、特に有効である。
【発明を実施するための最良の形態】
【００２０】
本発明を反映した上記課題解決手段を実施するための実施形態について、図面を用いて以下に詳細に説明する。なお、上記課題解決手段は以下に記載の構成に限定されるものではなく、同一の技術的思想において種々の構成を採用することができる。例えば、以下の説明では、ヘッドマウントディスプレイ本体と、ヘッドマウントディスプレイ本体にコンテンツデータへの再生処理の実行により得られた画像（以下、「コンテンツ画像」という。）を提供する制御ボックスと、を接続して構成されたヘッドマウントディスプレイを例に説明するが、これら各装置を一体の装置として構成することもできる。なお、以下の説明において、ヘッドマウントディスプレイ本体を、単にヘッドマウントディスプレイ（Ｈｅａｄ  Ｍｏｕｎｔｅｄ  Ｄｉｓｐｌａｙ／以下、「ＨＭＤ」という。）という。
【００２１】
（ヘッドマウントディスプレイの概要）
図１に、ＨＭＤの構成、より具体的には、図１（ａ）にＨＭＤの上面図、図１（ｂ）にＨＭＤの正面図、図１（ｃ）にＨＭＤの左側面図を示す。また、図２にＨＭＤを利用者が装着した状態を示す。
【００２２】
ＨＭＤ１００は、一端に利用者の耳に当たるモダン１０２Ａ，１０２Ｂが取り付けられたテンプル１０４Ａ，１０４Ｂと、テンプル１０４Ａ，１０４Ｂの他端に兆番１１２Ａ，１１２Ｂを介して連結されたヨロイ１０６Ａ，１０６Ｂと、ヨロイ１０６Ａ，１０６Ｂを連結するフロントフレーム１０８と、フロントフレーム１０８の中央部に一体的に形成され、利用者の鼻に当接する鼻パッド１１０と、により骨格部が形成されている。ヨロイ１０６Ａ，１０６Ｂに形成された兆番１１２Ａ，１１２Ｂでテンプル１０４Ａ，１０４Ｂを折りたたむことができる。ＨＭＤ１００の骨格部の構成は、例えば、通常の眼鏡と同様であり、ＨＭＤ１００は、利用者に装着された状態において、モダン１０２Ａ，１０２Ｂと、鼻パッド１１０と、により利用者の顔に支持される（図２参照）。なお、図１（ｂ）において、モダン１０２Ａ，１０２Ｂ及びテンプル１０４Ａ，１０４Ｂの描画を省略している。
【００２３】
ＨＭＤ１００の骨格部には、画像提示装置１１４が、ヨロイ１０６Ａ付近に配設された取付部１２２を介して取り付けられている。ヨロイ１０６Ａ付近に取付部１２２を介して取り付けられた状態において、画像提示装置１１４は、ＨＭＤ１００を装着した利用者の左眼１１８と略同一の高さとなる位置に配設される（設けられる）。画像提示装置１１４は、制御ボックス２００（図２参照。詳細については後述する図４参照）と、所定の信号ケーブル２５０（図２参照）と接続されている。詳細は後述するが、制御ボックス２００は、所定の領域に記憶されたコンテンツデータに対しレンダリング処理を実行し、自装置が備える入出力インターフェース（以下、「Ｉ／Ｆ」という。）を制御し、レンダリング処理によって得られたコンテンツ画像を含むコンテンツ画像信号を、信号ケーブル２５０を介して画像提示装置１１４に出力する。画像提示装置１１４は、制御ボックス２００が出力するコンテンツ画像信号を、入出力Ｉ／Ｆ（図３参照）を介して受信し、これを取得する。そして、コンテンツ画像信号に基づくコンテンツ画像を、ハーフミラー１１６に向けて光学的に出射する。
【００２４】
画像提示装置１１４から出射されたコンテンツ画像（画像光）は、ハーフミラー１１６で、反射し、利用者の左眼１１８に入射、換言すれば、視認可能に提示（投影）される。これにより、利用者はコンテンツ画像を認識する。ここで、図１（ａ）において符号１２０ａは、画像提示装置１１４から出射されたコンテンツ画像に関する画像光を示し、符号１２０ｂは、ハーフミラー１１６を反射し、利用者の左眼１１８に入射する画像光を示す。なお、画像提示装置１１４は、取得したコンテンツ画像信号に応じた画像光１２０ａ，１２０ｂを２次元方向に走査し、その走査された画像光１２０ａ，１２０ｂを利用者の左眼１１８に導き網膜上にコンテンツ画像を形成する網膜走査型のディスプレイを用いて構成することができる他、液晶ディスプレイ、有機ＥＬ（Ｏｒｇａｎｉｃ  Ｅｌｅｃｔｒｏｌｕｍｉｎｅｓｃｅｎｃｅ）ディスプレイその他の装置を用いた構成とすることもできる。なお、ＨＭＤ１００は、電源コントローラ３００に接続されたバッテリー４００から、電源コントローラ３００を介して電源の供給を受け、駆動する。
【００２５】
（ＨＭＤの構成）
図３に、ＨＭＤの構成、詳細には、画像提示装置の電気的及び光学的な構成を示す。ＨＭＤ１００は、制御部６００を備える。制御部６００は、ＨＭＤ１００の制御を司るＣＰＵ６０１と、各種プログラムを記憶するフラッシュメモリ（不揮発性メモリ／図３においてFlash Memoryと記載）６０２と、作業領域としてのＲＡＭ６０３とにより構成されている。ここで、ＣＰＵ６０１が、制御ボックス２００からの各種信号を受信し、取得したデータを用いて、ＲＯＭ２０４に記憶された各種プログラムをＲＡＭ２０６上で実行することにより、各種機能手段が構成される。また、ＨＭＤ１００は、制御部６００から供給される画像信号に基づいて生成したコンテンツ画像を示す画像光（図１に示す画像光１２０ａ、１２０ｂ参照）を２次元方向に走査し、その走査された画像光１２０ａ，１２０ｂを利用者の左眼１１８に導き網膜上にコンテンツ画像を形成する光走査部５００を備えている。
【００２６】
光走査部５００は、この制御部６００から供給される画像信号をドットクロック毎に読み出し、読み出した映像信号に応じて強度変調された画像光を生成して出射する画像光生成部７２０を備え、さらに、その画像光生成部７２０と観察者Ｐの左眼１１８との間には、画像光生成部７２０で生成され、光ファイバ８００を介して出射されるレーザビーム（画像光）を平行光化するコリメート光学系７６１と、このコリメート光学系７６１で平行光化された画像光を画像表示のために水平方向（第１方向）に往復走査する第１光走査部として機能する水平走査部７７０と、水平走査部７７０で水平方向に走査された画像光を垂直方向（第１方向と略直交する第２方向）に往復走査する第２光走査部として機能する垂直走査部７８０と、水平走査部７７０と垂直走査部７８０との間に設けられたリレー光学系７７５と、このように水平方向と垂直方向に走査（２次元的に走査）された画像光を瞳孔Ｅａへ出射するためのリレー光学系７９０と、を備えている。
【００２７】
また、画像光生成部７２０には、制御ボックス２００から送信されるコンテンツ画像信号が、入出力Ｉ／Ｆ６５０と制御部６００とを介して入力され、それに基づいてコンテンツ画像を合成するための要素となる各信号等を発生する信号処理回路７２１が設けられ、この信号処理回路７２１において、青（Ｂ）、緑（Ｇ）、赤（Ｒ）の各画像信号７２２ａ〜７２２ｃが生成され、出力される。また、信号処理回路７２１は、水平走査部７７０で使用される水平駆動信号７２３と、垂直走査部７８０で使用される垂直駆動信号７２４とをそれぞれ出力する。
【００２８】
さらに、画像光生成部７２０は、信号処理回路７２１からドットクロック毎に出力される３つの画像信号（Ｂ，Ｒ，Ｇ）７２２ａ〜７２２ｃをそれぞれ画像光にする画像光出力部として機能する光源部７３０と、これらの３つの画像光を１つの画像光に結合して任意の画像光を生成するための光合成部７４０を備えている。
【００２９】
光源部７３０は、青色の画像光を発生させるＢレーザ７３４及びＢレーザ７３４を駆動するＢレーザドライバ７３１と、緑色の画像光を発生させるＧレーザ７３５及びＧレーザ７３５を駆動するＧレーザドライバ７３２と、赤色の画像光を発生させるＲレーザ７３６及びＲレーザ７３６を駆動するＲレーザドライバ７３３とを備えている。なお、各レーザ７３４，７３５，７３６は、例えば、半導体レーザや高調波発生機構付き固体レーザとして構成することが可能である。なお、半導体レーザを用いる場合は駆動電流を直接変調して、画像光の強度変調を行うことができるが、固体レーザを用いる場合は、各レーザそれぞれに外部変調器を備えて画像光の強度変調を行う必要がある。
【００３０】
光合成部７４０は、光源部７３０から入射する画像光を平行光にコリメートするように設けられたコリメート光学系７４１，７４２，７４３と、このコリメートされた画像光を合成するためのダイクロイックミラー７４４，７４５，７４６と、合成された画像光を光ファイバ８００に導く結合光学系７４７とを備えている。
【００３１】
各レーザ７３４，７４５，７３６から出射したレーザ光は、コリメート光学系７４１，７４２，７４３によってそれぞれ平行化された後に、ダイクロイックミラー７４４，７４５，７４６に入射される。その後、これらのダイクロイックミラー７４４，７４５，７４６により、各画像光が波長に関して選択的に反射・透過される。
【００３２】
具体的には、Ｂレーザ７３４から出射した青色画像光は、コリメート光学系７４１によって平行光化された後に、ダイクロイックミラー７４４に入射される。Ｇレーザ７３５から出射した緑色画像光は、コリメート光学系７４２を経てダイクロイックミラー７４５に入射される。Ｒレーザ７３６から出射した赤色画像光は、コリメート光学系７４３を経てダイクロイックミラー７４６に入射される。
【００３３】
それら３つのダイクロイックミラー７４４，７４５，７４６にそれぞれ入射した３原色の画像光は、波長選択的に反射または透過して結合光学系７４７に達し、集光され光ファイバ８００へ出力される。
【００３４】
水平走査部７７０及び垂直走査部７８０は、光ファイバ８００から入射された画像光を画像として投影可能な状態にするために、水平方向と垂直方向に走査して走査画像光とするものである。
【００３５】
水平走査部７７０は、画像光を水平方向に走査するための反射面を有する共振型偏向素子７７１と、この共振型偏向素子７７１を共振させ、共振型偏向素子７７１の反射面を揺動させる駆動信号を発生する駆動信号発生器としての水平走査駆動回路７７２と、共振型偏向素子７７１から出力される変位信号に基づいて、共振型偏向素子７７１の反射面の揺動範囲及び揺動周波数等の揺動状態を検出する水平走査角検出回路７７３とを有している。
【００３６】
本実施形態において、水平走査角検出回路７７３は、検出した共振型偏向素子７７１の揺動状態を示す信号を制御部６００へ入力するようにしている。
【００３７】
垂直走査部７８０は、画像光を垂直方向に走査するための偏向素子７８１と、この偏向素子７８１を駆動させる垂直走査制御回路７８２と、この垂直走査制御回路７８２による反射面の揺動範囲及び揺動周波数等の揺動状態を検出する垂直走査角検出回路７８３とを備えている。
【００３８】
また、水平走査駆動回路７７２と垂直走査制御回路７８２は、信号処理回路７２１から出力される水平駆動信号７２３と垂直駆動信号７２４に基づいてそれぞれ駆動し、垂直走査角検出回路７８３は、検出した偏向素子７８１の揺動状態を示す信号を制御部６００へ入力するようにしている。
【００３９】
そして、制御部６００は、信号処理回路７２１の動作を制御することによって、これら水平駆動信号７２３と垂直駆動信号７２４とを調整することによって、水平走査部７７０と垂直走査部７８０に画像光の走査角を変更させて、表示する画像の輝度を調整するようにしている。
【００４０】
こうして変更された走査角度は水平走査角検出回路７７３および垂直走査角検出回路７８３からの検出信号に基づいて制御部６００により検出され、信号処理回路７２１と水平走査駆動回路７７２とを介して水平駆動信号７２３にフィードバックされるとともに、信号処理回路７２１と垂直走査制御回路７８２とを介して垂直駆動信号７２４にフィードバックされる。
【００４１】
また、水平走査部７７０と垂直走査部７８０との間での画像光を中継するリレー光学系７７５を備えており、共振型偏向素子７７１によって水平方向に走査された光は、リレー光学系７７５によって偏向素子７８１の反射面に収束され、偏向素子７８１によって垂直方向に走査されて、２次元的に走査された走査画像光として、リレー光学系７９０へ出射される。
【００４２】
リレー光学系７９０は、正の屈折力を持つレンズ系７９１，７９４を有している。垂直走査部７８０から出射された表示用の走査画像光は、レンズ系７９１によって、それぞれの画像光がその画像光の中心線を相互に略平行にされ、かつそれぞれ収束画像光に変換される。そして、レンズ系７９４によってそれぞれほぼ平行な画像光となるとともに、これらの画像光の中心線が観察者の瞳孔Ｅａに収束するように変換される。
【００４３】
なお、本実施形態においては、光ファイバ８００から入射された画像光を、水平走査部７７０で水平方向に走査した後、垂直走査部７８０によって垂直方向に走査することとしたが、水平走査部７７０と垂直走査部７８０との配置を入れ替え、垂直走査部７８０によって垂直方向に走査した後、水平走査部７７０で水平方向に走査するようにしてもよい。
（制御ボックスの構成）
図４に、制御ボックスの構成を示す機能ブロックを示す。なお、制御ボックス２００は、例えば、利用者の腰等に取り付け、利用される。制御ボックス２００は、自装置の制御を司るＣＰＵ２０２と、各種プログラムを記憶するＲＯＭ２０４と、作業領域としてのＲＡＭ２０６と、コンテンツデータ２０８２を記憶する記憶部２０８と、ＨＭＤ１００及び制御ボックス２００への電源（電力）の供給及び遮断を行う電源コントローラ３００との間で各種信号の送受信を行う入出力Ｉ／Ｆ２１０と、利用者によって操作され、利用者からの指示を受け付ける操作部２１２と、時間経過を計測可能なタイマ２１４と、を備えている。
【００４４】
ここで、記憶部２０８は、例えば、ハードディスクにより構成されている。記憶部２０８に記憶されるコンテンツデータ２０８２は、例えば、所定の製品の組立方法について記載された作業指図書を内容とするものである。操作部２１２は、例えば、キーにより構成され、例えば、コンテンツデータの再生開始及び再生終了の指示を受け付ける。
【００４５】
ＣＰＵ２０２は、ＲＯＭ２０４に記憶されているコンテンツデータ２０８２を再生（レンダリング）するためのプログラムをＲＡＭ２０６上で実行することで、コンテンツ画像を取得する。そして、ＲＯＭ２０４に記憶されている入出力Ｉ／Ｆ２１０を制御するためのプログラムをＲＡＭ２０６上で実行し、コンテンツ画像を含むコンテンツ画像信号を、入出力Ｉ／Ｆ２１０からＨＭＤ１００に出力する。また、ＣＰＵ２０２は、再生されているコンテンツの区切りに関する区切情報に基づき、ＲＯＭ２０４に記憶されている電源コントローラ３００を制御するためのプログラムをＲＡＭ２０６上で実行することで、電源コントローラによるＨＭＤ１００への電源の供給及び遮断を管理する。さらに、ＣＰＵ２０２は、ＲＯＭ２０４に記憶されているＨＭＤ１００を制御するためのプログラムをＲＡＭ２０６上で実行し、操作部２１２によって指示されたＨＭＤ１００の動作と、区切情報に基づいたＨＭＤ１００の動作と、を制御する。したがって、ＣＰＵ２０２が、コンテンツデータ２０８２等の各種データを用い、ＲＯＭ２０４に記憶された各種プログラムをＲＡＭ２０６上で実行することにより、各種機能手段（例えば、制御手段、電源管理手段、検出手段）が構成される。
【００４６】
（制御ボックスによって実行される処理）
以下、制御ボックス２００のＣＰＵ２０２がＲＯＭ２０４に記憶されているプログラムを実行することで行われる処理について、３つの処理手法を個別に説明する。
【００４７】
（第１処理形態）
第１処理形態は、コンテンツデータによって示されるコンテンツの区切りを示す区切情報を、コンテンツデータ自身が含む場合に実行される処理形態である。図５に、第１処理形態による処理フローを示す。なお、この第１処理形態において、コンテンツデータ２０８２を動画データとして説明する。また、コンテンツデータ２０８２は、ヘッダ情報として、コンテンツデータ２０８２によって示されるコンテンツの区切りを示す区切情報を含むものとする。
【００４８】
先ず、ＣＰＵ２０２は、制御ボックス２００の操作部２１２を介して、記憶部２０８に記憶されている特定のコンテンツの再生（コンテンツデータ２０８２に対する再生処理の実行）が指示されたか否かを判断する（Ｓ１００）。判断の結果、再生が指示されていない場合（Ｓ１００：Ｎｏ）、ＣＰＵ２０２は再生の指示が操作部２１２を介して入力されるまで待機する。これに対し、利用者が操作部２１２を介して再生を指示した場合（Ｓ１００：Ｙｅｓ）、ＣＰＵ２０２は、記憶部２０８からコンテンツデータ２０８２をＲＡＭ２０６上に読み出し、ＲＡＭ２０６に読み出したコンテンツデータ２０８２に対し再生処理を開始（実行）する（Ｓ１０２）。具体的には、ＣＰＵ２０２は、コンテンツデータ２０８２をレンダリングし、コンテンツ画像を生成し、コンテンツ画像を含むコンテンツ画像信号を、入出力Ｉ／Ｆ２１０からＨＭＤ１００に出力する。
【００４９】
なお、ＨＭＤ１００の画像提示装置１１４は、制御ボックス２００が出力するコンテンツ画像信号を、図１及び２には描画していない入出力Ｉ／Ｆを介して受信し、これを取得する。そして、コンテンツ画像信号に基づくコンテンツ画像を、ハーフミラー１１６に向けて光学的に出射する。画像提示装置１１４から出射されたコンテンツ画像（画像光）は、ハーフミラー１１６で、反射し、利用者の左眼１１８に入射（図１参照）、換言すれば、視認可能に提示（投影）される。これにより、利用者はコンテンツ画像を認識する。
【００５０】
再生処理を実行しているＣＰＵ２０２は、コンテンツデータ２０８２の再生が終了したか否か、換言すれば、コンテンツデータ２０８２の終了位置まで再生（最後まで再生）したか否かを判断する（Ｓ１０４）。判断の結果、終了位置まで再生した場合、ＣＰＵ２０２は、ＲＯＭ２０４に記憶された電源コントローラ３００を制御するためのプログラムをＲＡＭ２０６上に読み出し、これを実行することで、電源コントローラ３００によるＨＭＤ１００への電源の供給を遮断し、この処理を終了する。これに対し、終了位置まで再生していないと判断した場合（Ｓ１０４：Ｎｏ）、ＣＰＵ２０２は、処理をＳ１０６に移行する。
【００５１】
Ｓ１０６でＣＰＵ２０２は、コンテンツデータ２０８２のヘッダ情報として含まれている区切情報に基づき、コンテンツデータ２０８２によって示されるコンテンツの区切りを検出したか否かを判断する。具体的には、区切情報によって示される部分まで再生が終了したか否かを判断する。判断の結果、区切りを検出していない場合（Ｓ１０６：Ｎｏ）、ＣＰＵ２０２は、処理をＳ１０４に移行し、コンテンツデータ２０８２の再生処理を継続して実行する。これに対し、区切りを検知した場合（Ｓ１０６：Ｙｅｓ）、ＣＰＵ２０２は、ＲＯＭ２０４に記憶された電源コントローラ３００を制御するためのプログラムをＲＡＭ２０６上に読み出し、これを実行することで、電源コントローラ３００によるＨＭＤ１００への電源の供給、より詳細には、画像提示装置１１４への電源の供給を遮断する（Ｓ１０８）。遮断に際し、ＣＰＵ２０２は、コンテンツデータ２０８２の再生処理を停止するとともに、停止した位置（再生処理が終了した位置）をＲＡＭ２０６に記憶する。なお、ＣＰＵ２０２は、区切りの検出を条件として、タイマ２１４によって検出後の時間の経過の計測を開始する。
【００５２】
区切り検出後の時間の経過の計測を開始したＣＰＵ２０２は、Ｓ１０６で検出した区切りに対応付けてコンテンツデータに含まれる再生再開に関する時間（コンテンツデータの再生処理を停止している時間）、換言すれば、画像提示装置１１４への電源の遮断から再供給までの時間に関する時間情報によって示される指定時間が経過したか否かを判断する（Ｓ１１０）。判断の結果、指定時間が経過していない場合（Ｓ１１０：Ｎｏ）、ＣＰＵ２０２は指定時間が経過するまで待機する。これに対し、指定時間が経過した場合（Ｓ１１０：Ｙｅｓ）、ＣＰＵ２０２は、ＲＯＭ２０４に記憶された電源コントローラ３００を制御するためのプログラムをＲＡＭ２０６上で実行し、電源コントローラ３００による画像提示装置１１４への電源の供給を再開するとともに（Ｓ１１２）、処理をＳ１０２に移行し、Ｓ１０８でＲＡＭ２０６上に記憶した再生処理を停止した位置から、コンテンツデータ２０８２の再生処理を再開する。
【００５３】
なお、上記説明では、ＣＰＵ２０２が区切りを検出した場合（Ｓ１０６：Ｙｅｓ）、ＣＰＵ２０２は、画像提示装置１１４に対する電源の供給を遮断する構成について説明したが、ＨＭＤ１００全体への電源の供給を遮断する構成とすることもできる。また、例えば、バッテリー４００の残量に応じて、画像提示装置１１４への電源の供給を遮断とするか、ＨＭＤ１００への電源の供給を遮断とするかを決定する構成とすることもできる。具体的には、バッテリー４００の残量が所定の残量より多い場合は、画像提示装置１１４への電源の供給を遮断し、少ない場合は、ＨＭＤ１００への電源の供給を遮断するような構成とすることもできる。これによれば、再起動に要する時間短縮と、ＨＭＤ１００の長時間駆動とを両立することができる。
【００５４】
図６は、コンテンツデータの概要、及び、ＣＰＵ（２０２）が上述した図５に示す処理を、コンテンツデータ（２０８２）に対して実行した場合のタイムチャートを示すものである。なお、以下では、コンテンツデータ２０８２が、所定の製品を組立てに関する作業指図書に関する、全体として１０分の動画データからなるコンテンツである場合を例として説明する。
【００５５】
図６（ａ）は、コンテンツデータ２０８２の概要を示すものである。コンテンツデータ２０８２を構成するコンテンツデータ本体は、所定の製品を組み立てるための、第１工程（長さ：３分）と、第２工程（長さ：４分）と、第３工程（長さ：３分）の各々に区分されている。そして、第１工程と第２工程との区切りに、第１区切情報が、また、第２工程と第３工程との区切りに、第２区切情報がヘッダ情報として設定されている。なお、図５（ａ）には描画されていないが、コンテンツデータ２０８２は、第１区切情報と第２区切情報の各々に対応付けて、上述した指定時間各々を示す時間情報をヘッダ情報として含む。指定時間（時間情報）は、利用者等が、任意に設定できる構成を採用することができる。
【００５６】
図６（ｂ）は、タイムチャートを示すものである。制御ボックス２００の操作部２１２を介してコンテンツデータ２０８２の再生が指示された場合（図５のＳ１００：Ｙｅｓ参照）、コンテンツデータ２０８２の再生処理が開始され、これによって、ＨＭＤ１００を装着している利用者に対して、第１工程に関するコンテンツ画像が画像提示装置１１４（図１参照）から提示される。換言すれば、利用者は再生によって得られた第１工程に関するコンテンツ画像の視聴を開始する。その後、ＣＰＵ２０２が、ヘッダ情報として設定されている第１区切情報を検出（図５のＳ１０６：Ｙｅｓ参照）すると、ＣＰＵ２０２は、コンテンツデータ２０８２の再生処理を停止し、電源コントローラ３００を制御し、画像提示装置１１４への電源供給を遮断する（図５のＳ１０８参照）。また、ＣＰＵ２０２は、第１区切情報の検出を条件として、検出後の経過時間をタイマ２１４を用いて計測する。
【００５７】
利用者は、先に視聴した第１工程に関するコンテンツ画像にて得られた情報に基づき、第１工程を実施する。すなわち、第１区切情報に対応する指定時間は、利用者が第１工程を実施するために要する時間に合わせて、事前に設定されており、この間に利用者は視聴によって得られた情報に基づき第１工程に係る製品の組立作業を実施する。この際、ＨＭＤ１００を装着した状態で、ハーフミラー１１６を介して外界を視認し、具体的には、ＨＭＤ１００を装着した状態で、ハーフミラー１１６を介して手元にある組立対象の製品（部品）を、左眼１１８（図１参照）でも視認し、組立作業を実施する。
【００５８】
ＣＰＵ２０２は、タイマ２１４によって第１区切情報に対応する指定時間の経過を計測したことを条件として（図５のＳ１１０：Ｙｅｓ参照）、再度、電源コントローラ３００を制御し、画像提示装置１１４への電源の供給を再開させるとともに（図５のＳ１１２参照）、コンテンツデータ本体の第２工程に関する部分からの再生処理を再開する（図５のＳ１０２）。これによって、ＨＭＤ１００を装着している利用者に対して、第２工程に関するコンテンツ画像が画像提示装置１１４から提示される。換言すれば、利用者は再生によって得られた第２工程に関するコンテンツ画像の視聴を開始する。その後、ＣＰＵ２０２が、第２区切情報を検出（コンテンツデータの先頭から７分後のヘッダに設定されている第２区切情報を検出。図５のＳ１０６：Ｙｅｓ参照）すると、ＣＰＵ２０２は、コンテンツデータ２０８２の再生処理を再度停止し、電源コントローラ３００を制御し、画像提示装置１１４への電源供給を遮断する（図５のＳ１０８参照）。また、ＣＰＵ２０２は、第２区切情報の検出を条件として、検出後の経過時間をタイマ２１４を用いて計測する。利用者は、先に視聴した第２工程に関するコンテンツ画像にて得られた情報に基づき、第２工程に係る製品の組立作業を実施する。すなわち、第１区切情報に対応する指定時間と同じく、第２区切情報に対応する指定時間も、利用者が第２工程を実施するために要する時間に合わせて、事前に設定される。
【００５９】
ＣＰＵ２０２は、タイマ２１４によって第２区切情報に対応する指定時間の経過を計測したことを条件として（図５のＳ１１０：Ｙｅｓ参照）、再度、電源コントローラ３００を制御し、画像提示装置１１４への電源の供給を再開させるとともに（図５のＳ１１２参照）、コンテンツデータ本体の第３工程に関する部分からの再生処理を再開する（図５のＳ１０２）。これによって、ＨＭＤ１００を装着している利用者に対して、第３工程に関するコンテンツ画像が画像提示装置１１４から提示される。換言すれば、利用者は再生によって得られた第３工程に関するコンテンツ画像の視聴を開始する。その後、ＣＰＵ２０２は、コンテンツデータ２０８２の終了位置まで再生すると（図５のＳ１０４：Ｙｅｓ参照）、コンテンツデータ２０８２の再生処理を停止し、電源コントローラ３００を制御し画像提示装置１１４への電源供給を遮断する（図５のＳ１０８参照）。利用者は、先に視聴した第３工程に関するコンテンツ画像にて得られた情報に基づき、第３工程に係る製品の組立作業を実施し、これによって、所定の製品の組立てが完了する。
【００６０】
なお、上記では、指定時間の経過を条件として、ＣＰＵ２０２が、再生処理を再開する構成について説明した。例えば、操作部２１２を介しても再生再開の指示を入力可能な構成とすることもできる（後述する図１０に示す第３処理形態のＳ３１４参照）。利用者の作業熟練度の向上にともない、予め設定した指定時間に対して極めて早く作業が終了する場合が想定されるとき、かかる構成は好適である。
【００６１】
（第１処理形態による有利な効果）
第１処理形態の構成によれば、次に記載の有利な効果を得ることができる。
【００６２】
（１）コンテンツの区切りを、コンテンツデータ２０８２がヘッダ情報として含む区切情報に基づき検出し（図５のＳ１０６）、検出したことを条件として（図５のＳ１０６：Ｙｅｓ）、ＣＰＵ２０２による再生処理を停止し、バッテリー４００から画像提示装置１１４に供給される電源を遮断する（図５のＳ１０８）構成を採用した。これによれば、いずれのコンテンツ画像も利用者に提示されない状態、上記例に基づけば、ＨＭＤ１００を装着した利用者が、所定の製品の組立作業を行っている状態において、ＨＭＤ１００の消費電力を低減可能で、バッテリー４００による長時間駆動を実現することができる。また、画像提示装置１１４の電源が遮断されているため、ハーフミラー１１６を介して、容易に外界を視認することが可能であり、ＨＭＤ１００を装着していない場合と同程度の視界を確保することができる。さらに、利用者は、上記動作を実現するために、特別な操作をする必要がなく、この点において、利用者の操作負担を軽減することができる。
【００６３】
（２）コンテンツの区切りの検出から、予め設定した指定時間経過後に、画像提示装置１１４への電源の供給を再開し（図５のＳ１１２）、停止した位置からコンテンツデータ２０８２の再生処理を再開する（図５のＳ１０２）構成を採用した。これによれば、適切なタイミングで画像提示装置１１４への電源の供給を再開することができる。なお、この場合においても、上記動作を実現するために、特別な操作をする必要がなく、この点において、利用者の操作負担を軽減することができる。
【００６４】
（第２処理形態）
第１処理形態では、コンテンツデータ２０８２によって示されるコンテンツの区切りを示す区切情報と、区切情報に対応する時間情報（指定時間）とは、コンテンツデータ２０８２のヘッダ情報として含まれる構成とした。これに対し、第２処理形態では、これら区切情報及び時間情報は、コンテンツデータ２０８２とは異なる区切テーブルに含まれる。また、コンテンツデータ２０８２の本体部分であるコンテンツデータ本体（ヘッダ情報とともに、コンテンツデータ２０８２を構成する）は、タイムスタンプ情報を含む。タイムスタンプ情報は、コンテンツデータの先頭からの位置（経過時間）を示すものであり、コンテンツデータが再生されている場合において、再生されている位置をタイムスタンプ情報によって特定することができる。第２処理形態は、この点において第１処理形態と相違するものの、これ以外についての構成は一致する。以下の説明では、相違する点を中心に説明し、その他の共通する点については、第１処理形態との対応関係を説明し、詳細は省略する。なお、区切テーブルは、制御ボックス２００がアクセス可能な領域に記憶されていればよい。以下の説明では、記憶部２０８に記憶されているものとする。
【００６５】
この処理を開始したＣＰＵ２０２は、先ず、Ｓ２００を実行する。ここで、Ｓ２００は、第１処理形態のＳ１００（図５参照）に対応する処理であり、ＣＰＵ２０２は、上述した処理を実行し、Ｓ２００の判断が肯定された場合（Ｓ２００：Ｙｅｓ）、処理をＳ２０２に移行する。Ｓ２０２でＣＰＵ２０２は、記憶部２０８に記憶され、かつＳ２００で読み出したコンテンツデータ２０８２に対応する区切テーブルをＲＡＭ２０６上に読み出す。図８に区切テーブルに登録された各データの一例を示す。上述のとおり、区切テーブルには、コンテンツデータ２０８２の区切りを示す区切情報と、区切情報に対応付けて時間情報とが対応付けて登録されている。コンテンツデータ２０８２を、上述した図６（ａ）として詳細に説明すると、第１工程及び第２工程の区切りを示す第１区切情報（３分）と、第１工程の作業時間となる時間情報（６０分。以下、「第１時間情報」という。）とが対応付けられるとともに、第２工程及び第３工程の区切りを示す第２区切情報（７分）と、第２工程の作業時間となる時間情報（６０分。以下、「第２時間情報」という。）とが対応付けて登録されている。
【００６６】
Ｓ２０２で、第１区切情報及び第１時間情報と、第２区切情報及び第２時間情報とをＲＡＭ２０６上に読み出す。そして、これら情報を取得したＣＰＵ２０２は、以下、これら情報に基づき、Ｓ２０４〜Ｓ２１４を実行する。ここで、Ｓ２０４〜Ｓ２１４各々は、図５に示す第１処理形態のＳ１０２〜Ｓ１１２各々に対応する処理であり、ＣＰＵ２０２は、上述した各処理を実行し、実行後、処理を終了する。Ｓ２０８でＣＰＵ２０２は、Ｓ２０２でＲＡＭ上に取得した第１区切情報及び第２区切情報と、コンテンツデータ２０８２のタイムスタンプに基づき、コンテンツの区切りまでの再生処理を実行したか否かを判断する。例えば、ＣＰＵ２０２は、コンテンツデータ本体のタイムスタンプ情報に基づき、第１区切情報に対応する３分経過を検出した場合、Ｓ２０８の判断を肯定する（Ｓ２０８：Ｙｅｓ）。同じく、ＣＰＵ２０２は、第２区切情報に対応する７分経過を検出した場合、Ｓ２０８の判断を肯定する（Ｓ２０８：Ｙｅｓ）。なお、図７の処理を実行した場合のタイムチャートについては、上述した第１処理形態と同一（図６（ｂ）参照）であるため、その説明を省略する。
【００６７】
（第２処理形態による有利な効果）
第２処理形態による構成によれば、上記第１処理形態によって得られる有利な効果の他、次に記載の効果を得ることができる。
【００６８】
区切情報及び時間情報をコンテンツデータ２０８２とは異なるデータである区切テーブルに登録した構成を採用し（図８）、ＣＰＵ２０２は、この区切テーブルから区切情報及び時間情報を取得する（図７のＳ２０２）構成を採用した。これによれば、例えば、コンテンツの区切りの検出から画像提示装置１１４への電源の供給を再開するまでの時間（指定時間）を、コンテンツデータ２０８２を編集することなく、区切テーブルの時間情報を修正することで変更することができる。
【００６９】
（第３処理形態）
第３処理形態は、区切テーブルを用いる点等において、第２処理形態と共通する。しかしながら、第３処理形態は、ＨＭＤ１００を装着している利用者を識別するとともに、利用者に応じて時間情報を設定している点、及び、区切テーブルにおける時間情報の登録形態において、第２処理形態と相違する構成を採用する。したがって、以下の説明では、これら第２処理形態と相違する点を中心に説明し、その他の共通する点については、第２処理形態との対応関係を説明し、詳細は省略する。
【００７０】
第３処理形態の処理について説明する前に、先ず、第３処理形態で利用される区切テーブルについて、図９に基づき説明する。第３処理形態における区切テーブルは、ＨＭＤ１００を装着する利用者毎に記憶部２０８に記憶されている。例えば、図９（ａ）は、利用者Ａに関する区切テーブルを示し、利用者Ａを識別する識別子「ＡＡＡ」と、第１区切情報及び第２区切情報と、第１時間情報及び第２時間情報と、が登録されたデータ（テーブル）ある。ここで、時間情報の登録に関し、第３処理形態では第２処理形態とは異なる形態を採用している。すなわち、第３処理形態では、区切テーブルに関連付け、基本時間情報を記憶部に記憶し、この基本時間情報に対する割合を区切テーブルとして登録している。詳細には、基本時間情報として、第１処理時間「６０分」及び第２処理時間「６０分」を記憶するとともに、この第１処理時間及び第２処理時間に対する割合が区切テーブルに登録されている。具体的に、図９（ａ）では、第１区切情報「３分」に対応付けて、第１時間情報「８０％」が登録されている。この場合、ＣＰＵ２０２は、第１区切情報を検出した後、４８分（基本時間情報と第１時間情報との積により算出）経過後に電源コントローラ３００を制御し、画像提示装置１１４への電源の供給を再開する。また、第２区切情報「７分」に対応付けて、第２時間情報「１２０％」が登録されている。この場合、ＣＰＵ２０２は、第２区切情報を検出した後、７２分（算出方法については、第１時間情報と同じ）経過後に画像提示装置１１４への電源の供給を再開する。なお、第１時間情報及び第２時間情報の登録については、上述した図８と同一であるため、その説明を省略する。
【００７１】
利用者Ａと同様に、利用者Ｂに対して図９（ｂ）の区切テーブルが、また、利用者Ｃに対して図９（ｃ）の区切テーブルが記憶部２０８に記憶されている。これら区切テーブルへの登録態様については、図９（ａ）と同一であり、その説明を省略する。
【００７２】
次に、ＣＰＵ２０２によって実行される第３処理形態の処理フローについて、図１０に基づき説明する。この処理を開始したＣＰＵ２０２は、制御ボックス２００の操作部２１２を介して、記憶部２０８に記憶されている特定のコンテンツの再生（コンテンツデータ２０８２に対する再生処理の実行）が指示されたか否かを判断する（Ｓ３００）。判断の結果、再生が指示されていない場合（Ｓ３００：Ｎｏ）、ＣＰＵ２０２は再生の指示が操作部２１２を介して入力されるまで待機する。これに対し、利用者が操作部２１２を介して再生を指示した場合（Ｓ３００：Ｙｅｓ）、ＣＰＵ２０２は、処理をＳ３０２に移行する。ここで、ＣＰＵ２０２は、再生の指示とともに、再生の指示を入力した利用者の識別情報を、例えば、利用者が携帯しているＩＣカードから、図４において描画していない識別子取得部を介してＲＡＭ２０６上に取得する。例えば、利用者Ｃが再生の指示を行っていた場合、ＣＰＵ２０２は、利用者Ｃを識別する識別情報「ＣＣＣ」を取得する。
【００７３】
Ｓ３０２でＣＰＵ２０２は、取得した識別情報を含む区切テーブルと、基本時間情報とを記憶部２０８から読み出す。例えば、Ｓ３００で識別情報「ＣＣＣ」を取得していた場合、ＣＰＵ２０２は、記憶部２０８に記憶された図９（ｃ）に記載の区切テーブルを読み出し、そこに登録された第１区切情報及び第１時間情報と、第２区切情報及び第２時間情報とをＲＡＭ２０６上に取得する。そして、ＣＰＵ２０２は、Ｓ３０４〜Ｓ３１０の各処理を実行し、処理をＳ３１２に移行する。ここで、Ｓ３０４〜Ｓ３１０の各処理は、第２処理形態のＳ２０４〜Ｓ２１０（図７参照）の各処理に対応する処理（図５に示す第１処理形態のＳ１０２〜Ｓ１０８参照）であり、説明を省略する。なお、Ｓ３０８の処理は、Ｓ３０２で取得した利用者用の区切テーブル、上記例に基づけば、利用者Ｃの区切テーブルに登録された第１区切情報及び第２区切情報と、コンテンツデータ２０８２のタイムスタンプに基づき実行される。
【００７４】
Ｓ３１２でＣＰＵ２０２は、画像提示装置１１４への電源の供給の再開のタイミングを算出し、取得する。具体的算出方法については、図９の説明において記載したとおりであり、省略する。続けて、ＣＰＵ２０２は、制御ボックス２００の操作部を介して、再生再開の指示が入力されたか否かを判断する（Ｓ３１４）。ここで、この再生再開の操作は、次の点において好適である。そこで、この点について、上述の図６に関する記載に基づき具体的に説明する。利用者Ｃが第１区切情報の検出後、第１工程に関するコンテンツ画像の視聴に基づき第１工程を実施した場合、区切テーブルで設定された第１時間情報によって示される第１工程の指定時間は４２分（基本時間情報６０分×時間情報０．７（７０％））であるところ、例えば、４０分で作業を終えることがあり得る。かかる状況において、再生の再開の指定が行い得る構成は、作業終了を条件として、次の第２工程に関するコンテンツ画像の視聴を可能とし、効率的に製品の組立作業を進めることができる。
【００７５】
Ｓ３１４で、再生の再開の指示が入力された場合（Ｓ３１４：Ｙｅｓ）、ＣＰＵ２０２は処理をＳ３１８に移行する一方、入力されていない場合（Ｓ３１４：Ｎｏ）、ＣＰＵ２０２は、Ｓ３１２で、基本時間情報と、第１時間情報又は第２時間情報とに基づき算出した指定時間が経過したか否かを判断する（Ｓ３１６）。ここで、Ｓ３１６は、図７に示す第２処理形態のＳ２１２（図５に示す第１処理形態のＳ１１０）に対応する処理であり、説明を省略する。なお、指定時間が経過した場合（Ｓ３１６：Ｙｅｓ）、ＣＰＵ２０２は処理をＳ３１８に移行する。
【００７６】
Ｓ３１８でＣＰＵ２０２は、区切テーブルに登録されている第１時間情報又は第２時間情報を、基本時間情報によって示される時間に対する、区切情報の検出から再生の再開が決定されるまでの時間の割合に更新（上書保存）する。詳細に説明すると、Ｓ３１４で再生の再開が指示された場合（Ｓ３１４：Ｙｅｓ）、基本時間情報によって示される時間に対する、区切情報検出から再生の再開指示の入力までの時間の割合を、新たな時間情報として更新登録する。例えば、利用者Ｃが、第１工程に関する組立作業を３６分で終了し、再生再開の指示をその時点で入力したとすれば、ＣＰＵ２０２は、利用者Ｃ用の区切テーブルに登録されている第１時間情報を「６０％」に更新する。なお、指定時間経過による場合（Ｓ３１６：Ｙｅｓ）、ＣＰＵ２０２は、現在の登録と同一の値を上書きする（この場合、上書きによる更新を行わない構成とすることもできる。）。
【００７７】
Ｓ３１８を修了後、ＣＰＵ２０２はＳ３２０を実行する。Ｓ３２０は、図７に示す第２処理形態のＳ２１４（図５に示す第１処理形態のＳ１１２）に対応する処理であり、説明を省略する。なお、図１０の処理を実行した場合のタイムチャート（図６（ｂ）参照）については、上述した第１処理形態と同様であるため、その説明を省略する。
【００７８】
（第３処理形態による有利な効果）
第３処理形態による構成によれば、上記第１及び第２処理形態によって得られる有利な効果の他、次に記載の効果を得ることができる。
【００７９】
（１）ＨＭＤ１００を装着する利用者毎に区切テーブル（図９）を備え、基本時間情報とともに記憶部２０８に記憶させるとともに、ＣＰＵ２０２は、コンテンツの再生指示とともに利用者識別情報を取得し（図１０のＳ３００）、取得した利用者に対応する区切テーブル及び基本時間情報に基づき、コンテンツの区切り検出（図１０のＳ３０８：Ｙｅｓ）から、画像提示装置１１４への電源の供給再開までの指定時間を算出し、取得する（図１０のＳ３１２）構成を採用した。これによれば、利用者毎に適正な指定時間を設定することができる。上述した例に基づけば、利用者の組立作業の熟練度に応じ、画像提示装置１１４への電源の供給再開と、コンテンツ画像の提示再開とを設定することができる。
【００８０】
（２）指定時間内のコンテンツの再生の再開を可能とし、制御ボックス２００の操作部２１２を介して、再生再開の指示が入力された場合（図１０のＳ３１４：Ｙｅｓ）、ＣＰＵ２０２は、コンテンツの区切り検出（図１０のＳ３０８：Ｙｅｓ）から、再生の再開指示の入力までに経過した時間を、新たに時間情報として新たに区切テーブルに登録する（図１０のＳ３１８）構成を採用した。これによれば、利用者毎に適切な指定時間を設定することができる。上述した例に基づけば、利用者の組立作業の熟練度に応じ、利用者に対応する区切テーブルに登録されている時間情報を適切な値に更新することができる。
【００８１】
上記第１処理形態から第３処理形態の説明では、画像提示装置１１４への電源の供給の再開の条件となる指定時間の計測開始を、区切情報を検出した時点としたが、コンテンツデータ２０８２への再生処理の停止、又は、画像提示装置１１４への電源の遮断を条件として、計測を開始する構成とすることもできる。
【００８２】
（変形例）
上記第１〜第３処理形態において、コンテンツの区切りの検出（例えば、図５に示す第１処理形態のＳ１０６）は、コンテンツデータ２０８２にヘッダ情報として含まれる区切情報、又は、区切テーブルに登録された区切情報とコンテンツデータ２０８２を構成するコンテンツデータ本体に含まれるタイムスタンプ情報とに基づき行った。しかしながら、これとは異なる他の構成とすることもできる。以下、第１処理形態における構成を例として、図５に基づきその概略を説明する。
【００８３】
利用者が制御ボックス２００の操作部２１２を介して、記憶部２０８に記憶されている特定のコンテンツの再生（コンテンツデータ２０８２に対する再生処理の実行）を指示した場合（Ｓ１００：Ｙｅｓ）、ＣＰＵ２０２は、記憶部２０８からコンテンツデータ２０８２をＲＡＭ２０６上に読み出し、ＲＡＭ２０６に読み出したコンテンツデータ２０８２に対しレンダリング処理を実行し（Ｓ１０２）し、レンダリングによってコンテンツ画像を生成する。
【００８４】
ここで、コンテンツ画像が同一色である場合、これを区切りとして検出する構成とすることができる。詳細には、コンテンツ画像が、Ｒ（赤）Ｇ（緑）Ｂ（青）で表現されているとすれば、レンダリング処理によって「Ｒ＝０，Ｇ＝０，Ｂ＝２５５」のコンテンツ画像が生成された場合、これをもってＳ１０６の判断を肯定（Ｓ１０６：Ｙｅｓ）する構成とすることができる。また、記憶部２０８に特定の画像を記憶しておき、これと同一（同等）のコンテンツ画像がレンダリング処理によって生成された場合、これをもってＳ１０６の判断を肯定（Ｓ１０６：Ｙｅｓ）する構成とすることができる。かかる構成によれば、コンテンツデータ２０８２に対応して区切情報を設定する必要がなくなる。
【図面の簡単な説明】
【００８５】
【図１】（ａ）〜（ｃ）は、本発明の実施形態におけるＨＭＤの外観を示す図
【図２】本発明の実施形態におけるＨＭＤを装着した状態を示す図
【図３】本発明の実施形態におけるＨＭＤの構成を示す図
【図４】本発明の実施形態におけるＨＭＤに接続される制御ボックスの機能ブロックを示す図
【図５】本発明の実施形態における制御ボックスにおいて実行される第１処理形態による処理フローを示す図
【図６】（ａ）及び（ｂ）は、本発明の実施形態におけるコンテンツデータの概要及びコンテンツデータの再生に関するタイムチャートを示す図
【図７】本発明の実施形態における制御ボックスにおいて実行される第２処理形態による処理フローを示す図
【図８】本発明の実施形態における制御ボックスにおいて実行される第２処理形態で利用される区切テーブルを示す図
【図９】（ａ）〜（ｃ）は、本発明の実施形態における制御ボックスにおいて実行される第３処理形態で利用される区切テーブルを示す図
【図１０】本発明の実施形態における制御ボックスにおいて実行される第３処理形態による処理フローを示す図
【符号の説明】
【００８６】
１００  ＨＭＤ
１１４  画像提示装置
２００  制御ボックス
２０２  ＣＰＵ
２０４  ＲＯＭ
２０６  ＲＡＭ
２０８２  コンテンツデータ
３００  電源コントローラ
【図１】
2010139578.tif 000003
【図２】
2010139578.tif 000004
【図３】
2010139578.tif 000005
【図４】
2010139578.tif 000006
【図５】
2010139578.tif 000007
【図６】
2010139578.tif 000008
【図７】
2010139578.tif 000009
【図８】
2010139578.tif 000010
【図９】
2010139578.tif 000011
【図１０】
2010139578.tif 000012